(57)【特許請求の範囲】
【請求項１】
待ち受け時に間欠受信を行うＦＤＭＡ方式デジタル移動通信システムの、レイヤ１のデータを処理するプロセッサ１と、レイヤ２及びレイヤ３のデータ処理を行うプロセッサ２をもち、マルチプロセッサ制御で動作している移動局において、
前記プロセッサ１に、
受信復調データを復号するデータ復号手段と、
間欠受信時に前記データ復号手段により復号されたレイヤ２以上のデータのビット解析を行い、このビット解析した受信アドレスフィールドのページングチャネルに短縮移動局識別子があるとき、及び移動局識別子があってかつその識別子が自移動局の移動局識別子と一致したとき、それらのときのみプロセッサ２の起動が必要と判定してプロセッサ２を起動する起動手段と、
間欠受信のためのプロセッサ１およびプロセッサ２の停止時間間隔を算出してタイマに設定するタイマ設定手段と、
を設けたことを特徴とする移動局。
【請求項２】
待ち受け時に間欠受信を行うＦＤＭＡ方式デジタル移動通信システムの、レイヤ１のデータを処理するプロセッサ１と、レイヤ２及びレイヤ３のデータ処理を行うプロセッサ２をもち、マルチプロセッサ制御で動作している移動局の消費電流低減方法において、
間欠受信時に、前記プロセッサ１で、受信アドレスフィールドのレイヤ２以上のデータをビット解析し、ビット解析した受信アドレスフィールドのページングチャネルに短縮移動局識別子があるとき、及び移動局識別子があってその識別子が自移動局の移動局識別子と一致したとき、それらのときのみプロセッサ２を起動するようにしたことを特徴とする移動局の消費電流低減方法。
【発明の詳細な説明】
【０００１】
【発明の属する技術分野】
本発明は、基地局と移動局からなるＦＤＭＡ方式デジタル移動通信システムの、マルチプロセッサ制御の移動局とその消費電流低減方法に関するものである。
【０００２】
【従来の技術】
ＦＤＭＡ方式デジタル移動通信システムである狭帯域デジタル通信方式（ＳＣＰＣ／ＦＤＭＡ）標準規格、ＡＲＩＢ  ＳＴＤ−Ｔ６１における、従来の移動局の間欠受信について説明する。図４はシステム構成図で、本システムは、無線基地局（以下基地局と称す）と複数の移動局から構成される。図４には一つの基地局４１と２台の移動局４２、４３が示されている。基地局４１からは情報報知・呼接続等のために、常時、制御チャネルで各種の制御信号が送出されていて、移動局４１、４２はこの制御チャネルで呼接続を行っている。待ち受け時には常時受信機を動作させるのでなく、移動局へ着信信号を送出する一斉呼出チャネル（ＰＣＨ）が送出されている時間帯だけ受信動作を行う間欠受信をおこなっている。制御チャネルの信号構造はＯＳＩモデルに準拠した階層構造で、物理層、データリンク層、ネットワーク層からなる。以後これらを、レイヤ１、レイヤ２、レイヤ３と呼ぶ。
【０００３】
図３に移動局装置（受信処理部）のハードウェア構成例を示す。ＲＦ受信部３１で無線信号を受信し、Ａ／Ｄ変換部３２でデジタル信号にし、線形受信機であるＤＳＰ（デジタル信号処理装置）３３で復調する。復調された信号は、レイヤ１の処理を行うＤＳＰ３４で復号され、デュアルポートラムであるＤＰＲＡＭ３５を介して、レイヤ２、３の処理を行うＭＰＵ３６に渡される。ＤＳＰ３４は、ＭＰＵ３６、ＤＳＰ３４、ＤＳＰ３３の間欠受信間隔を設定する起動／停止タイマ３７に値を設定する。ＭＰＵ３６は受信データを解析し、間欠受信の指示等を行う。起動／停止制御回路３８は、タイマ３７に設定された値に従い、ＭＰＵ３６、ＤＳＰ３４、ＤＳＰ３３の起動および動作停止を行う。またＲＯＭ３９には、移動局を識別する移動局識別子（ＭＳＩ）等、移動局に必要な情報が格納されていて、ＭＰＵ３６は必要に応じてこれを読みだす。
【０００４】
図５に基地局下り制御チャネルの構成と一斉呼出しチャネル（ＰＣＨ）の配置例を示す。無線チャネルのフレーム長は４０ｍｓで、フレーム長の１８倍を単位としてスーパーフレームを構成する。制御チャネルはスーパーフレーム構造をとり、スーパーフレーム内の定められた位置に、報知チャネル（ＢＣＣＨ）、一斉呼出チャネル（ＰＣＨ）等が配置される。図ではフレーム１６にＰＣＨが配置されている。移動局は基地局への位置登録後、ＰＣＨを受信し、ＰＣＨに自移動局を呼出している移動局識別子（ＭＳＩ）が送出されていると着呼処理に入る。そのため移動局は、待ち受け時にはＰＣＨのみを間欠的に受信している。この間欠受信により、移動局は待ち受け時の消費電流の低減を図っている。
【０００５】
図２に従来技術における間欠受信処理ブロック図を示す。図２では、図３のＤＳＰ３４をプロセッサ１とし、ＭＰＵ３６をプロセッサ２として説明する。待ち受け時にＰＣＨを受信した移動局は、受信データ復調処理部２０（ＤＳＰ３３に相当）でＰＣＨの受信データを復調し、レイヤ１処理を行うプロセッサ１（ＤＳＰ３４に相当）のデータ復号処理部２１でデータを復号する。復号されたデータは、データレイヤ２、３処理を行うプロセッサ２（ＭＰＵ３６に相当）に送られ、プロセッサ２のデータ解析部２３でデータ解析され、移動局の受信処理が、連続受信か間欠受信かを判定し、結果を連続受信／間欠受信指示部２４でプロセッサ１に通知する。間欠受信の場合、プロセッサ１は、プロセッサ１、２および受信データ復調処理部２０の停止時間間隔を算出し、タイマ３７に設定する。起動／停止制御回路３８は、このタイマ設定値に従い、プロセッサ１、２、受信データ変調部２０を停止、起動する。連続受信の場合は、プロセッサ１、２、受信データ変調部２０の動作を停止させずに、受信を継続させることになる。
【０００６】
図９に従来技術におけるプロセッサ１、２の消費電流の時間変化例を示す。移動局は、図５のスーパーフレーム内のフレーム１６のＰＣＨのみを受信している。下り制御ＣＨにあるＰＣＨの位置を図９（ａ）に示す。斜線部がＰＣＨであり、図では最初の二つが他局への一斉呼出（ページング）で三番目が自局へのページングの場合を示している。図９（ｂ）はプロセッサ１の消費電流である。図２、図３に示すタイマ３７に設定された値に従い、起動／停止制御回路３８が、ＰＣＨが送出される間隔で一定時間プロセッサ１を動作させている。同様にプロセッサ２の消費電流を図９（ｃ）に示す。プロセッサ２もプロセッサ１と同じ周期で動作している。すなわち、他局へのページングであっても、自局へのページングであってもプロセッサ１とプロセッサ２は動作させている。従来技術におけるプロセッサ１、２の消費電流の詳細な時間変化例を図１０に示す。図１０（ａ）は、下り制御チャネルのＰＣＨの位置を拡大して示している。図１０（ｂ）は、プロセッサ１の消費電流で、時間エリア９１、９２、９３の間だけ電流を消費している。時間エリア９１はＰＣＨデータを復号している時間で、ＰＣＨのフレーム時間に対応している。プロセッサ１は、時間エリア９１でＰＣＨデータを復号すると、プロセッサ２を起動し、復号データを受け渡す。図１０（ｃ）がプロセッサ２の消費電流で、時間エリア９４と９５の時間、動作している。プロセッサ２は時間エリア９４でプロセッサ１から受信した復号データを解析し、継続受信か間欠受信かを判定し、間欠受信であれば、プロセッサ１に間欠受信を指示する。その指示を受け取るとプロセッサ１は、時間エリア９３でプロセッサ１、２などの起動／停止間隔をタイマに設定し、動作を停止する。時間エリア９２はプロセッサ１でデータ復号以外のレイヤ１処理を行っている時間で、時間エリア９５はプロセッサ２が受信データ解析以外のレイヤ２、３の処理を行う時間である。
【０００７】
図２０に従来技術におけるプロセッサ１の間欠受信処理フローを示す。プロセッサ１は、受信データ復調部２１から受信したＰＣＨのデータを復号し（ＳＴＥＰ１２０）、復号したデータをプロセッサ２に送出し（ＳＴＥＰ１２１）、プロセッサ２からの連続受信を行うか、間欠受信を行うかの指示を待つ（ＳＴＥＰ１２２）。受信した結果が連続受信であれば（ＳＴＥＰ１２２でＮＯ）、受信データ復号処理を継続し（ＳＴＥＰ１２３）、プロセッサ２からの指示を待つ（ＳＴＥＰ１２２）。もし間欠受信であったら（ＳＴＥＰ１２２でＹＥＳ）、プロセッサ１、２、受信データ復調部２１の起動／停止タイマに値を設定し（ＳＴＥＰ１２４）動作を停止する。これにより移動局は間欠受信状態に移行する。
【０００８】
以上詳細に説明したように、移動局が間欠受信時に受信するＰＣＨデータの情報はレイヤ２以上の情報であるので、マルチプロセッサ方式の場合、通常プロセッサ２がこのデータを解析する。そのため、ＰＣＨ受信毎にプロセッサ２も起動する必要がある。また間欠動作への移行のための停止処理もプロセッサ２のデータ解析を待たねばならないため、従来方式の移動局はプロセッサ１、２ともに動作している時間が長かった。
【０００９】
【発明が解決しようとする課題】
このように、待ち受け時の間欠受信において、プロセッサ１とプロセッサ２の両方を動作させねばならないことは、移動局の平均消費電流の減少を図る上で問題であった。
【００１０】
本発明の目的は、マルチプロセッサ制御のＦＤＭＡ方式の移動通信システムにおいて、通常プロセッサ２で行っている連続受信／間欠受信の判定をプロセッサ１で行い、プロセッサ２の平均消費電流を低減させるようにした移動局とその消費電流低減方法を提供することにある。
【００１１】
【課題を解決するための手段】
上記の目的を達成するために本発明は、待ち受け時に間欠受信を行うＦＤＭＡ方式デジタル移動通信システムの、レイヤ１のデータを処理するプロセッサ１と、レイヤ２及びレイヤ３のデータ処理を行うプロセッサ２をもち、マルチプロセッサ制御で動作している移動局において、
前記プロセッサ１に、
受信復調データを復号するデータ復号手段と、
間欠受信時に前記データ復号手段により復号されたレイヤ２以上のデータのビット解析を行い、受信アドレスフィールドに短縮移動局識別子があるか、あるいは移動局識別子があってかつその識別子が時移動局の移動局識別子と一致したとき、かつそのときのみプロセッサ２の起動が必要と判定してプロセッサ２を起動する起動手段と、
間欠受信のためのプロセッサ１およびプロセッサ２の停止時間間隔を算出してタイマに設定するタイマ設定手段と、
を設けたことを特徴とする移動局を提供する。
【００１２】
また、本発明は、待ち受け時に間欠受信を行うＦＤＭＡ方式デジタル移動通信システムの、レイヤ１のデータを処理するプロセッサ１と、レイヤ２及びレイヤ３のデータ処理を行うプロセッサ２をもち、マルチプロセッサ制御で動作している移動局の消費電流低減方法において、
間欠受信時に、前記プロセッサ１で、レイヤ２以上のデータをビット解析し、ビット解析した受信アドレスフィールドに短縮移動局識別子があるか、あるいは移動局識別子があってその識別子が自移動局の移動局識別子と一致したとき、かつそのときのみプロセッサ２を起動するようにしたことを特徴とする移動局の消費電流低減方法を提供する。
【００１３】
【発明の実施の形態】
以下、本発明の実施の形態を詳細に説明する。図１は、本発明の移動局の構成例を示すブロック図で、デジタル信号処理プロセッサで構成されている受信データ復調部１０は、変調されている受信データを復調する。この受信データはレイヤ１を処理するプロセッサ１に渡される。プロセッサ１には、レイヤ１のデータを複号するデータ複合部１１、レイヤ２、３の処理を行うプロセッサ２の起動判定を行うプロセッサ２起動判定部１２、各プロセッサの間欠受信の間隔を設定する起動／停止タイマ設定部１３がある。レイヤ２、３の処理を行うプロセッサ２には、レイヤ２以上のデータ解析を行うデータ解析部１４、解析されたデータにもとずき連続受信を行うか間欠受信を行うかを判定し、プロセッサ１に指示する連続受信／間欠受信指示部１５がある。またタイマ１６には、間欠受信時の各プロセッサの停止時間間隔が設定され、この値にもとづき起動／停止制御回路１７がプロセッサ１、２と受信データ復調部１０の起動および動作停止を制御する。
【００１４】
つぎに、狭帯域デジタル通信方式（ＳＣＰＣ／ＦＤＭＡ）、ＡＲＩＢ  ＳＴＤ−Ｔ６１に規定されているＰＣＨのデータ構成について詳細に説明する。図１１にＰＣＨのチャネルコーディングを示す。無線区間１フレームは３８４ビットで、３０ビットのリニアライザ用プリアンブル（ＬＰ）及びバースト過度応答用ガードタイム（Ｒ）、２ビットのプリアンブル（Ｐ）、９６ビットの一斉呼出チャネル（ＰＣＨ）、５６ビットの無線情報チャネル（ＲＩＣＨ）、２０ビットの同期ワード（ＳＷ）、４ビットのアイドルビット（Ｉ）、１７６ビットのＰＣＨで構成されている。ＰＣＨデータ部は９６＋１７６＝２７２ビットである。これにデスクランブル、デインタリーブ、誤り訂正復号を施し、ＰＣＨデータとして信号構成情報のＷ（８ビット）およびレイヤ２以上の情報（８８ビット）が得られる。図１２に１フレームで伝送されるＰＣＨデータの構成を示す。１オクテットのＷ（信号構成情報）と１１オクテットのレイヤ２以上の情報により構成されている。Ｗの第０から第５ビットまでがＷ０で、第６ビットがＦ２，第７ビットがＦ１である。Ｆ１が０ならこのユニットは非先頭ユニットで、１なら先頭ユニットを示す。Ｆ２が０ならこのユニットは非最終ユニットで、１なら最終ユニットを示す。Ｗ０はＦ２＝１なら有効バイト数を示し、Ｆ２＝０の場合は残りユニット数を示す。
【００１５】
図１３にレイヤ２データフレームフォーマットを示す。レイヤ２データフレームは、アドレスフィールド、制御フィールド、情報からなり、複数オクテットで構成される。図１４にアドレスフィールドフォーマットを示す。第１オクテットの第４、５ビットはＡＩ（ＩＤ表示フィールド）であり、第２オクテット以降はＳＭＳＩ（短縮移動局識別子）およびＭＳＩ（移動局識別子）である。図１５にＩＤ表示フィールド（ＡＩ）の内容を示す。ＡＩの値により、アドレスフィールドに含まれるＭＳＩおよびＳＭＳＩを識別する。例えば図１５に示すようにＡＩが“００”ならＳＭＳＩもＭＳＩもともに無く、“０１”ならＭＳＩのみがあることを示す。図１６にＳＭＳＩ、図１７にＭＳＩのフォーマットを示す。ＳＭＳＩは基地局によって選択され、一時的に移動局に割り当てられる識別子で１オクテットの固定長である。ＭＳＩは移動局固有の固定されたアドレスである。ＭＳＩの長さは可変で、ＥＡ（アドレスフィールド拡張ビット）により判断する。ＥＡが“０”なら非最終オクテットで、“１”なら最終オクテットである。ＭＳＩの最大ビット長は６４ビットで１０オクテットで構成される。
【００１６】
つぎに、本発明の間欠処理の動作を図１と図１９に示すプロセッサ１の間欠受信処理フローにもとづき詳細に説明する。受信データ復調部１０からの受信データをデータ復号部１１で復号すると（ＳＴＥＰ１０１）、プロセッサ２起動判定部１２は、プロセッサ２の起動が必要かを判定する。これにはまず、図１２のＰＣＨデータの第１オクテットの第７ビット（Ｆ１）を見て先頭ユニットであるかを判定する（ＳＴＥＰ１０２）。もしＦ１が“１”で先頭ユニットであれば（ＳＴＥＰ１０２でＹＥＳ）、つぎにＳＭＳＩがあるかを見る（ＳＴＥＰ１０３）。これは図１２の第２オクテットを見ることで行える。すなわち図１２の第２オクテットは、図１３のレイヤ２データフレームフォーマットの第１オクテットであり、図１４の第１オクテットである。図１４の第１オクテットの第４、５ビット（ＡＩ）を用いてＳＭＳＩが含まれているか、ＭＳＩが含まれているかを判定することができる。もしＳＭＳＩが含まれていれば（ＳＴＥＰ１０３でＹＥＳ）、プロセッサ起動判定部１２はプロセッサ２を起動し（ＳＴＥＰ１０７）、データをプロセッサ２に送り（ＳＴＥＰ１０８）、データ復号部１１で受信データ復号処理を継続する（ＳＴＥＰ１０９）。
【００１７】
もしＳＭＳＩがなければ（ＳＴＥＰ１０３でＮＯ）、つぎにＭＳＩがあるかを見る（ＳＴＥＰ１０４）。ＭＳＩが含まれていれば（ＳＴＥＰ１０４でＹＥＳ）、プロセッサ１であらかじめプロセッサ２より通知された自局のＭＳＩと受信したＭＳＩを比較し（ＳＴＥＰ１０５）、一致すれば（ＳＴＥＰ１０６でＹＥＳ）、プロセッサ起動判定部１２はプロセッサ２を起動し（ＳＴＥＰ１０７）、データをプロセッサ２に送り（ＳＴＥＰ１０８）、データ復号部１２で受信データ復号処理を継続する（ＳＴＥＰ１０９）。受信データ処理を継続していると（ＳＴＥＰ１０９）、復号データはプロセッサ２に送られ、プロセッサ２のデータ解析部１４でレイヤ２以上が解析され、間欠受信に移行するかどうかの指示が連続受信／間欠受信指示部１５からプロセッサ１に送出される。プロセッサ１では間欠受信指示をまっている（ＳＴＥＰ１１０）が、間欠受信指示が来なければ（ＳＴＥＰ１１０でＮＯ）、受信データ復号処理を継続し（ＳＴＥＰ１０９）、間欠受信指示が来れば（ＳＴＥＰ１１０でＹＥＳ）、起動／停止タイマ設定部１３で、間欠受信の間隔をタイマ１６に設定する（ＳＴＥＰ１１２）。タイマが設定されると、起動／停止制御回路１７はプロセッサ１、プロセッサ２、受信データ復調部１０の起動／停止をタイマに従い制御し間欠受信状態に入る。
【００１８】
もしＰＣＨデータのＦ１が“１”でなかったり（ＳＴＥＰ１０２でＮＯ）、アドレスフィールドにＭＳＩがなかったり（ＳＴＥＰ１０４でＮＯ）、ＭＳＩがあっても自局のＭＳＩと一致しなければ（ＳＴＥＰ１０６でＮＯ）、ＰＣＨの残りユニットをＦ２やＷ０から算出し（ＳＴＥＰ１１１）、プロセッサ１はプロセッサ２を起動することなく、プロセッサ１の起動／停止タイマ設定部１３で、間欠受信間隔をタイマ１６に設定し（ＳＴＥＰ１１２）、タイマが設定されると、起動／停止制御回路１７はプロセッサ１、プロセッサ２、受信データ復調部１０の起動／停止をタイマに従い制御し、間欠受信状態に入る。すなわち、ＰＣＨに自局のＭＳＩがなければプロセッサ２を起動することなく間欠受信を行うことができる。
【００１９】
図１８にプロセッサ２の起動判定条件を示す。すなわち、Ｆ１が“１”で、ＡＩが“０１”で、受信ＭＳＩが自局ＭＳＩに一致するか、Ｆ１が“１”でＡＩが“１０”または“１１”の場合にプロセッサ１はプロセッサ２を起動し、その他の場合には起動しない。このように、プロセッサ１では、Ｆ１とＡＩとＭＳＩのみをビット処理で読み込み判定することで、プロセッサ２の起動するかしないかを容易に決定できる。なお、ＳＭＳＩがあれば無条件にプロセッサ２を起動するのは、ＳＭＳＩは基地局、移動局間の双方向チャネル（ＳＣＣＨ：信号チャネル、および、ＵＰＣＨ：ユーザパケットチャネル）において用いられるものである。ＰＣＨは片方向チャネルであるのでＳＭＳＩは使用されない。もし受信したＰＣＨにＳＭＳＩが含まれていたとすると、ＰＣＨと思って受信したチャネルがＰＣＨでないことを意味している。すなわち制御チャネルのフレーム構成が変わっていたことになるので、正しいＰＣＨの位置を知るためにプロセッサ２を起動する必要がある。
【００２０】
図６に本発明におけるプロセッサ１、２の消費電流の時間変化例を示す。図６（ａ）は、下り制御チャネルのＰＣＨの送出時間である。斜線で示したエリアにＰＣＨが送出されていて、最初の二つは他局へのページングであり、三番目が自局へのページングがある場合の例である。図６（ｂ）がプロセッサ１の消費電流の変化で、ＰＣＨが送出される間隔に対応して動作している。一方、図６（ｃ）はプロセッサ２の消費電流変化で、他局へのページング時には動作せず、自局へのページング時のみ動作する。図７は本発明におけるプロセッサ１、２が他局へのページングを受信した場合の消費電流の詳細な時間変化例である。プロセッサ１が動作しているのは、時間エリア７１、７２、７３の時間である。移動局は間欠受信をしているので、ＰＣＨが送出される時間になると、図１の起動／停止制御回路１７がプロセッサ１を起動する。動作を開始したプロセッサ１は、時間エリア７１で下り制御チャネルのデータをデータ復号部１１で復号し、時間エリア７２でプロセッサ２の起動が必要かどうかを判定する。図７では他局へのページングであり、自局のＭＳＩがデータに含まれてないので、プロセッサ２の起動を行わず、時間エリア７３で起動／停止タイマ設定部１３がタイマ１６に間欠受信間隔の値を設定し、プロセッサ１は動作を停止する。図７ではプロセッサ２は起動されないので、プロセッサ２の消費電流は０である。
【００２１】
図８は、本発明におけるプロセッサ１、２が自局へのページングを受信した場合の消費電流の詳細な時間変化例である。プロセッサ１が動作しているのは、時間エリア８１、８２、８３、８４、８５の時間である。移動局は間欠受信をしているので、ＰＣＨが送出される時間になると、図１の起動／停止制御回路１７がプロセッサ１を起動する。動作を開始したプロセッサ１は、時間エリア８１で下り制御チャネルのデータをデータ復号部１１で復号し、時間エリア８２でプロセッサ２の起動が必要かどうかを判定する。図８では自局へのページングであるので、自局のＭＳＩがデータに含まれていることを時間エリア８３で判定しプロセッサ２を起動し、復号データをプロセッサ２に送出する。起動されたプロセッサ２の動作している時間が時間エリア８６と８７である。時間エリア８６では、プロセッサ２のデータ解析部１４でレイヤ２のデータを解析し、間欠受信を行う時間になると、間欠受信をプロセッサ１に指示する。プロセッサ１ではこの指示を受信すると、時間エリア８５で起動／停止タイマ設定部１３がタイマ１６に間欠受信間隔の値を設定しプロセッサ１は動作を停止する。プロセッサ１の時間エリア８４ではレイヤ１の他の処理を行っている。プロセッサ２も間欠受信指示をプロセッサ１に送出すると、時間エリア８７でレイヤ２、３の他の処理を行い、処理が終了すると動作を停止する。
【００２２】
待ち受け時における、従来方式のプロセッサ１、２の消費電流を示した図９と、本発明の方式のプロセッサ１、２の消費電流を示した図６を比較すれば、図９では他局へのページング時にもプロセッサ２の消費電流が必要だが、図６では消費電流は０である。通常の待ち受け時でＰＣＨを受信した場合に、自局へのページングがある確率はきわめて低いので、プロセッサ２の消費電流が０となるのは平均消費電流の減少に大きな効果となる。また従来方式では、復号データをプロセッサ２に渡し、プロセッサ２でレイヤ２の処理として他局へのページングか自局へのページングかを判定するが、その判定の間もプロセッサ１は動作している。一方、本発明ではプロセッサ１のビット処理で他局へのページングか自局へのページングを判定している。レイヤ２での判定よりビット処理での判定の方が処理時間が短時間で済むので、プロセッサ１の動作時間も本発明の方が従来より短くなり、プロセッサ１の平均消費電流も従来の方式より少なくなる利点もある。
【００２３】
【発明の効果】
本発明により、ＦＤＭＡ方式デジタル移動通信システムのマルチプロセッサ制御の移動局において、待ち受け時の移動局の平均消費電流を減少させることが可能で、移動局の充電電池の充電間隔を延ばすことができる。また携帯電話機登載電池の小型化が可能で、携帯電話機を小型、軽量化することができる。
【図面の簡単な説明】
【図１】本発明の間欠受信処理のブロック図である。
【図２】従来方式の間欠受信処理のブロック図である。
【図３】移動局の受信処理部のハードウェア構成図である。
【図４】移動通信方式のシステム構成図である。
【図５】下り制御チャネルの構成と一斉呼出チャネル（ＰＣＨ）の配置例の図である。
【図６】従来方式のプロセッサ１、２の消費電流の時間変化例の図である。
【図７】従来方式の他局ページング受信時のプロセッサ１、２の詳細な消費電流時間変化例の図である。
【図８】従来方式の自局ページング受信時のプロセッサ１、２の詳細な消費電流時間変化例の図である。
【図９】本発明の他局ページング受信時のプロセッサ１、２の詳細な消費電流時間変化例の図である。
【図１０】本発明の自局ページング受信時のプロセッサ１、２の詳細な消費電流時間変化例の図である。
【図１１】ＰＣＨのチャネルコーディングの図である。
【図１２】ＰＣＨのフレーム構成図である。
【図１３】レイヤ２データフレームフォーマットの図である。
【図１４】ＩＤ表示フィールド（ＡＩ）の内容の図である。
【図１５】ＩＤ表示フィールド（ＡＩ）の意味を示す図である。
【図１６】短縮移動局識別子（ＳＭＳＩ）のフォーマットの図である。
【図１７】移動局識別子（ＭＳＩ）のフォーマットの図である。
【図１８】プロセッサ２の起動条件を示す図である。
【図１９】本発明のプロセッサ１の動作フローの図である。
【図２０】従来方式のプロセッサ１の動作フローの図である。
【符号の説明】
１０、２０  受信データ復調部
１１、２１  データ復号部
１２  プロセッサ２起動判定部
１３、２２  起動／停止タイマ設定部
１４、２３  データ解析部
１５、２４  連続受信／間欠受信指示部
１６、３７  タイマ
１７、３８  起動／停止制御回路
３１  ＲＦ受信部
３２  Ａ／Ｄ変換部
３３、３４  デジタル信号処理装置（ＤＳＰ）
３５  デュアルポートラム（ＤＰＲＡＭ）
３６  ＭＰＵ
３９  ＲＡＭ
４１  無線基地局
４２  移動局
７１〜７３  時間エリア
８１〜８７  時間エリア
９１〜９５  時間エリア
【図１】
0004417519.tif 000002
【図２】
0004417519.tif 000003
【図３】
0004417519.tif 000004
【図４】
0004417519.tif 000005
【図５】
0004417519.tif 000006
【図６】
0004417519.tif 000007
【図７】
0004417519.tif 000008
【図８】
0004417519.tif 000009
【図９】
0004417519.tif 000010
【図１０】
0004417519.tif 000011
【図１１】
0004417519.tif 000012
【図１２】
0004417519.tif 000013
【図１３】
0004417519.tif 000014
【図１４】
0004417519.tif 000015
【図１５】
0004417519.tif 000016
【図１６】
0004417519.tif 000017
【図１７】
0004417519.tif 000018
【図１８】
0004417519.tif 000019
【図１９】
0004417519.tif 000020
【図２０】
0004417519.tif 000021